(57)【要約】【課題】  局側に設置されたＤＳＬＡＭ装置と加入者側に設置されたＡＤＳＬモデム装置との間で実行されるＧ．ｈｓトーン信号を用いたモード選択を補完し、各電話回線における適切な伝送速度を得ることができる接続モードを選択するＡＤＳＬモデム装置、およびＡＤＳＬ接続方法を提供する【解決手段】  ＡＤＳＬモデム装置に、複数の変復調方式の中から予め指示された第１変復調方式に対応するトレーニングシーケンスを実行し、前記トレーニングシーケンスにより得られたトレーニング結果を出力する変復調部と、予め設定されたモード選択条件を格納し、前記変復調部から出力された前記トレーニング結果を入力され、前記トレーニング結果と前記モード選択条件とに基づいて、第２変復調方式を選択するモード選択部とを備える。そして、前記変復調部は、前記第１変復調方式と前記モード選択部に選択された第２変復調方式とが異なる変復調方式である場合、前記第２変復調方式を用いてＡＤＳＬ通信を実行する。【選択図】        図１
2005236812.tif 000002
【特許請求の範囲】
【請求項１】
複数の変復調方式の中から、予め指示された第１変復調方式に対応するトレーニングシーケンスを実行し、前記トレーニングシーケンスにより得られたトレーニング結果を出力する変復調部と、
予め設定されたモード選択条件を格納し、前記変復調部から出力された前記トレーニング結果を入力され、前記トレーニング結果と前記モード選択条件とに基づいて、第２変復調方式を選択するモード選択部と、
を具備し、
前記変復調部は、前記第１変復調方式と前記モード選択部に選択された第２変復調方式とが異なる変復調方式である場合、前記第２変復調方式を用いてＡＤＳＬ通信を実行する
ＡＤＳＬモデム装置。
【請求項２】
請求項１に記載のＡＤＳＬモデム装置において、
前記変復調部は、前記トレーニングシーケンスによって複数の搬送波周波数の各々の使用可能ビット数を測定し、その測定結果を前記トレーニング結果として出力し、
前記モード選択部は、前記使用可能ビット数と前記モード選択条件とを対応させ、前記前記第１変復調方式よりも高速な伝送速度によるＡＤＳＬ通信が可能な変復調方式が存在する場合、前記変復調方式を第２変復調方式とする
ＡＤＳＬモデム装置。
【請求項３】
請求項２に記載のＡＤＳＬモデム装置において、
前記モード選択部からの通知に基づいて変復調方式を格納し、その格納した変復調方式に対応するトレーニングシーケンスの実行を前記変復調部に指示する接続モード指示部を備え、
前記モード選択部は、前記第２変復調方式を選択したことに応答して、前記変復調部に対する動作の停止と、前記接続モード指示部に対する前記第２変復調方式の通知を実行し、
前記接続モード指示部は、前記モード選択部から通知された前記第２変復調方式に対応するトレーニングシーケンスの実行を前記変復調部に指示し、
前記変復調部は、前記モード指示部からの指示に応答して前記トレーニングシーケンスを実行する
ＡＤＳＬモデム装置。
【請求項４】
請求項３に記載のＡＤＳＬモデム装置において、
前記接続モード指示部は、ＩＴＵ−Ｔ勧告Ｇ．９９４．１に定義されているＧ．ｈｓトーン信号を用いることにより、現在の回線状況において最適と判断される変復調方式の選択を行うＧ．ｈｓ部と、前記モード選択部によって選択された第２変復調方式を特定接続モードとして格納する特定接続モード指示部とを含み、
前記Ｇ．ｈｓ部は、前記Ｇ．ｈｓトーン信号を用いることにより選択された変復調方式を前記第１変復調方式とし、前記第１変復調方式に対応するトレーニングシーケンスの実行を前記変復調部に指示し、
前記変復調部は、前記Ｇ．ｈｓ部からの指示に応答して前記第１変復調方式に対応するトレーニングシーケンスを実行し、前記トレーニングシーケンスにより得られたトレーニング結果を前記モード選択部に出力し、
前記モード選択部は、前記トレーニング結果と前記モード選択条件とに基づいて、第２変復調方式を選択し、前記第２変復調方式を選択したことに応答して、前記変復調部に対する動作の停止と、前記特定接続モード指示部に対する前記第２変復調方式の通知を実行し、
前記特定接続モード指示部は、前記第２変復調方式に対応するトレーニングシーケンスの実行を前記変復調部に指示することを前記Ｇ．ｈｓ部に要求し、
前記Ｇ．ｈｓ部は前記要求に応答して前記第２変復調方式に対応するトレーニングシーケンスの実行を前記変復調部に指示し、
前記変復調部は、前記Ｇ．ｈｓ部からの指示に応答して前記第２変復調方式に対応するトレーニングシーケンスを実行する
ＡＤＳＬモデム装置。
【請求項５】
請求項４に記載のＡＤＳＬモデム装置において、
前記モード選択条件は、前記複数の変復調方式の各々で使用される周波数帯域と、前記周波数帯域を複数に分割した確認周波数帯域を示す情報と、前記確認周波数帯域の各々で伝送可能な最大ビット数とを含み、
前記モード選択部は、前記搬送波周波数の各々に割当てられた使用可能ビット数を前記確認周波数帯域毎に合計した測定ビット数を算出し、その算出された結果と前記最大ビット数とから所定の演算を実行し、その演算結果に基づいて第２変復調方式を選択する
ＡＤＳＬモデム装置。
【請求項６】
複数の変復調方式の中から、予め指示された第１変復調方式に対応するトレーニングシーケンスを実行するステップと、
前記トレーニングシーケンスにより得られたトレーニング結果を出力するステップと、
予め設定されたモード選択条件を格納し、出力された前記トレーニング結果と前記モード選択条件とに基づいて、第２変復調方式を選択するステップと、
前記第１変復調方式と前記選択された第２変復調方式とが異なる変復調方式である場合、前記第２変復調方式を用いてＡＤＳＬ通信を実行するステップ
を具備するＡＤＳＬ接続方法。
【請求項７】
請求項６に記載のＡＤＳＬ接続方法において、
前記トレーニングシーケンスによって複数の搬送波周波数の各々の使用可能ビット数を測定するステップと、
その測定結果を前記トレーニング結果として出力するステップと、
前記使用可能ビット数と前記モード選択条件とを対応させ、前記前記第１変復調方式よりも高速な伝送速度によるＡＤＳＬ通信が可能な変復調方式が存在する場合、前記変復調方式を第２変復調方式とするステップ
を具備するＡＤＳＬ接続方法。
【請求項８】
請求項７に記載のＡＤＳＬ接続方法において、
前記第２変復調方式を示す情報を格納し、前記情報に基づいて前記第２変復調方式に対応するトレーニングシーケンスの実行を前記変復調部に指示するステップと、
前記第２変復調方式が選択されたことに応答して、ＡＤＳＬ通信動作の停止を指示するステップと、
前記第２変復調方式を通知するステップと、
前記通知を受領し、前記通知に基づいて前記第２変復調方式に対応するトレーニングシーケンスの実行を指示するステップと、
前記トレーニングシーケンスの実行指示に応答して前記トレーニングシーケンスを実行するステップ
を具備するＡＤＳＬ接続方法。
【請求項９】
請求項８に記載のＡＤＳＬ接続方法において、
ＩＴＵ−Ｔ勧告Ｇ．９９４．１に定義されているＧ．ｈｓトーン信号を用いることにより、現在の回線状況において最適と判断される変復調方式の選択を行うステップと、
前記選択された第２変復調方式を特定接続モードとして格納するステップと、
前記Ｇ．ｈｓトーン信号を用いることにより選択された変復調方式を前記第１変復調方式とし、前記第１変復調方式に対応するトレーニングシーケンスの実行を指示するステップと、
前記第１変復調方式に対応するトレーニングシーケンスの実行指示に応答して、トレーニングシーケンスを実行し、前記トレーニングシーケンスにより得られたトレーニング結果を出力するステップと、
前記トレーニング結果と前記モード選択条件とに基づいて、第２変復調方式を選択するステップと、
前記第２変復調方式を選択したことに応答して、ＡＤＳＬ通信動作の停止を指示するステップと、
前記第２変復調方式を通知するステップと、
前記第２変復調方式に対応するトレーニングシーケンスの実行を前記変復調部に指示することを要求するステップと、
前記要求に応答して前記第２変復調方式に対応するトレーニングシーケンスの実行を指示するステップと、
前記第２変復調方式に対応するトレーニングシーケンスの実行指示に応答して、前記第２変復調方式に対応するトレーニングシーケンスを実行するステップ
を具備するＡＤＳＬ接続方法。
【請求項１０】
請求項９に記載のＡＤＳＬ接続方法において、
前記モード選択条件は、前記複数の変復調方式の各々で使用される周波数帯域と、前記周波数帯域を複数に分割した確認周波数帯域を示す情報と、前記確認周波数帯域の各々で伝送可能な最大ビット数とを含み、
前記搬送波周波数の各々に割当てられた使用可能ビット数を前記確認周波数帯域毎に合計した測定ビット数を算出するステップと、
その算出された結果と前記最大ビット数とから所定の演算を実行し、その演算結果に基づいて第２変復調方式を選択するステップ
を具備するＡＤＳＬ接続方法。
【発明の詳細な説明】
【技術分野】
【０００１】
本発明は、ＡＤＳＬモデム装置、およびＡＤＳＬ接続方法に関する。
【背景技術】
【０００２】
近年インターネットへ高速に接続するためのサービスとしてＡＤＳＬ（Asymmetric  Digital  Subscriber  Line）通信システムが広く利用されるようになっている。このＡＤＳＬ通信システムでは、電話局舎内に設けられたＤＳＬＡＭ（Digital  Subscriber  Line  Access  Multiplexer）装置と、各加入者の自宅に設けられたＡＤＳＬモデム装置との間を電話回線を利用して接続している。このＡＤＳＬモデム装置とＤＳＬＡＭ装置との間を接続するための接続モードとしては様々な方式が用いられている。例えば、接続することができる伝送距離はそれほど長くないが最大転送レートが大きな方式や、最大転送レートはあまり大きくないが接続することができる伝送距離が長い方式等が存在する。そして、昨今のITU-T勧告及び技術開示に伴うみなし方式等多数の変復調方式の実装によりＡＤＳＬサービスは各回線距離や環境に応じて接続モードの選択の自由度が増し伝送速度向上が飛躍的に図られてきた。
【０００３】
例えば、日本においては、ＩＳＤＮ（Integraed  Services  Digital  Network）の干渉を受けにくいＡｎｎｅｘ−Ｃという規格が定められており、このＡｎｎｅｘ−Ｃには、さらにＧ．ｄｍｔ（ＩＴＵ−Ｔ勧告Ｇ．９２２．１）モードと、Ｇ．Ｌｉｔｅ（ＩＴＵ−Ｔ勧告Ｇ．９２２．２）モードという２つの接続モードが存在する。そして、この２つの接続モードについても、それぞれ、ＤＢＭ（Dual  Bit  Map）モードおよびＦＢＭ（Fext  Bit  Map）モードという２つのモードが存在するため、Ａｎｎｅｘ−Ｃ規格についてだけでも、４つの接続モードが存在することになる。また、Ａｎｎｅｘ−Ｃ規格以外にもＡｎｎｅｘ−Ｉという規格も存在する。
【０００４】
選択することができる接続モードとしては、ＤＳＬＡＭ装置とＡＤＳＬモデム装置の両方の装置が対応している接続モードの中から選択する必要がある。そのため、ＤＳＬＡＭ装置とＡＤＳＬモデム装置が、両方の装置が対応している接続モードの中から電話回線の回線状況に応じて最も適当と判定される接続モードを選択するという様々な技術が開示されている（例えば、特許文献１参照。）。
【０００５】
またその方式判定（モード選択）としてＩＴＵ−Ｔ勧告Ｇ．９９４．１にて勧告されているＧ．ｈｓトーン信号（G.hs -Tone）、特にＡｎｎｅｘ−Ｉ、Ａｎｎｅｘ−Ｃ方式の場合は、搬送周波数が３８４ｋＨｚ、４４８ｋＨｚ、２０４８ｋＨｚのＧ．ｈｓトーン信号を用いてＡＤＳＬモデム装置が回線距離及びその他の回線状況を判断して最適な接続モードの選択をし、選択した接続モードをＤＳＬＡＭ装置側に要求する。この要求手法としてはG.994.1に勧告化されているメッセージを使用して実現化されている。
【０００６】
しかし、低周波帯域かつ狭帯域であるG.hsトーン信号は回線の影響、特にＢＴ（Bridge  Tap）や回線ノイズ等の影響を受けた際に検出力が低下し、モード選択の精度偏差が大きくなる可能性がある。そのため、上述した従来の方法である３種類の搬送周波数のG.hsトーン信号を用いた判断基準では低域周波数帯に判断を集中する関係で、インピーダンス不均衡や信号反射等の回線の状況による誤診断が発生する可能性が高くなり、必ずしも最適な方式を選択できず最適伝送速度を獲得でない場合が存在した。
【０００７】
【特許文献１】特開２００２−２５２６７０号公報
【発明の開示】
【発明が解決しようとする課題】
【０００８】
本発明が解決しようとする課題は、局側に設置されたＤＳＬＡＭ装置と加入者側に設置されたＡＤＳＬモデム装置との間で実行されるＧ．ｈｓトーン信号を用いたモード選択を補完し、各電話回線における適切な伝送速度を得ることができる接続モードを選択するＡＤＳＬモデム装置、およびＡＤＳＬ接続方法を提供することにある。
【課題を解決するための手段】
【０００９】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１０】
複数の変復調方式の中から、予め指示された第１変復調方式に対応するトレーニングシーケンスを実行し、前記トレーニングシーケンスにより得られたトレーニング結果を出力する変復調部（６）と、予め設定されたモード選択条件を格納し、前記変復調部（６）から出力された前記トレーニング結果を入力され、前記トレーニング結果と前記モード選択条件とに基づいて、第２変復調方式を選択するモード選択部（７）と、
を具備し、
前記変復調部（６）は、前記第１変復調方式と前記モード選択部（７）に選択された第２変復調方式とが異なる変復調方式である場合、前記第２変復調方式を用いてＡＤＳＬ通信を実行するＡＤＳＬモデム装置を使用してＡＤＳＬ通信を実行する。
【００１１】
そのＡＤＳＬモデム装置において、前記変復調部（６）は、前記トレーニングシーケンスによって複数の搬送波周波数の各々の使用可能ビット数を測定し、その測定結果を前記トレーニング結果として出力し、前記モード選択部（７）は、前記使用可能ビット数と前記モード選択条件とを対応させ、前記前記第１変復調方式よりも高速な伝送速度によるＡＤＳＬ通信が可能な変復調方式が存在する場合、前記変復調方式を第２変復調方式とするＡＤＳＬモデム装置を使用してＡＤＳＬ通信を実行する。
【００１２】
そのＡＤＳＬモデム装置において、前記モード選択部（７）からの通知に基づいて変復調方式を格納し、その格納した変復調方式に対応するトレーニングシーケンスの実行を前記変復調部（６）に指示する接続モード指示部を備え、
前記モード選択部（７）は、前記第２変復調方式を選択したことに応答して、前記変復調部（６）に対する動作の停止と、前記接続モード指示部に対する前記第２変復調方式の通知を実行し、前記接続モード指示部は、前記モード選択部（７）から通知された前記第２変復調方式に対応するトレーニングシーケンスの実行を前記変復調部（６）に指示し、前記変復調部（６）は、前記モード指示部からの指示に応答して前記トレーニングシーケンスを実行するＡＤＳＬモデム装置を使用してＡＤＳＬ通信を実行する。
【００１３】
そのＡＤＳＬモデム装置において、前記接続モード指示部は、ＩＴＵ−Ｔ勧告Ｇ．９９４．１に定義されているＧ．ｈｓトーン信号を用いることにより、現在の回線状況において最適と判断される変復調方式の選択を行うＧ．ｈｓ部（５）と、前記モード選択部（７）によって選択された第２変復調方式を特定接続モードとして格納する特定接続モード指示部（４）とを含み、
前記Ｇ．ｈｓ部（５）は、前記Ｇ．ｈｓトーン信号を用いることにより選択された変復調方式を前記第１変復調方式とし、前記第１変復調方式に対応するトレーニングシーケンスの実行を前記変復調部（６）に指示し、前記変復調部（６）は、前記Ｇ．ｈｓ部（５）からの指示に応答して前記第１変復調方式に対応するトレーニングシーケンスを実行し、前記トレーニングシーケンスにより得られたトレーニング結果を前記モード選択部（７）に出力し、前記モード選択部（７）は、前記トレーニング結果と前記モード選択条件とに基づいて、第２変復調方式を選択し、前記第２変復調方式を選択したことに応答して、前記変復調部（６）に対する動作の停止と、前記特定接続モード指示部（４）に対する前記第２変復調方式の通知を実行し、前記特定接続モード指示部（４）は、前記第２変復調方式に対応するトレーニングシーケンスの実行を前記変復調部（６）に指示することを前記Ｇ．ｈｓ部（５）に要求し、前記Ｇ．ｈｓ部（５）は前記要求に応答して前記第２変復調方式に対応するトレーニングシーケンスの実行を前記変復調部（６）に指示し、
前記変復調部（６）は、前記Ｇ．ｈｓ部（５）からの指示に応答して前記第２変復調方式に対応するトレーニングシーケンスを実行するＡＤＳＬモデム装置を使用してＡＤＳＬ通信を実行する。
【００１４】
そのＡＤＳＬモデム装置において、前記モード選択条件は、前記複数の変復調方式の各々で使用される周波数帯域（１２）と、前記周波数帯域（１２）を複数に分割した確認周波数帯域（１３）を示す情報と、前記確認周波数帯域（１３）の各々で伝送可能な最大ビット数とを含み、前記モード選択部（７）は、前記搬送波周波数の各々に割当てられた使用可能ビット数を前記確認周波数帯域（１３）毎に合計した測定ビット数を算出し、その算出された結果と前記最大ビット数とから所定の演算（１４）を実行し、その演算結果に基づいて第２変復調方式を選択するＡＤＳＬモデム装置を使用してＡＤＳＬ通信を実行する。
【００１５】
複数の変復調方式の中から、予め指示された第１変復調方式に対応するトレーニングシーケンスを実行するステップと、
前記トレーニングシーケンスにより得られたトレーニング結果を出力するステップと、
予め設定されたモード選択条件を格納し、出力された前記トレーニング結果と前記モード選択条件とに基づいて、第２変復調方式を選択するステップと、
前記第１変復調方式と前記選択された第２変復調方式とが異なる変復調方式である場合、前記第２変復調方式を用いてＡＤＳＬ通信を実行するステップを具備するＡＤＳＬ接続方法を使用してＡＤＳＬ通信を実行する。
【００１６】
そのＡＤＳＬ接続方法において、前記トレーニングシーケンスによって複数の搬送波周波数の各々の使用可能ビット数を測定するステップと、
その測定結果を前記トレーニング結果として出力するステップと、
前記使用可能ビット数と前記モード選択条件とを対応させ、前記前記第１変復調方式よりも高速な伝送速度によるＡＤＳＬ通信が可能な変復調方式が存在する場合、前記変復調方式を第２変復調方式とするステップを具備するＡＤＳＬ接続方法を使用してＡＤＳＬ通信を実行する。
【００１７】
そのＡＤＳＬ接続方法において、前記第２変復調方式を示す情報を格納し、前記情報に基づいて前記第２変復調方式に対応するトレーニングシーケンスの実行を前記変復調部（６）に指示するステップと、
前記第２変復調方式が選択されたことに応答して、ＡＤＳＬ通信動作の停止を指示するステップと、
前記第２変復調方式を通知するステップと、
前記通知を受領し、前記通知に基づいて前記第２変復調方式に対応するトレーニングシーケンスの実行を指示するステップと、
前記トレーニングシーケンスの実行指示に応答して前記トレーニングシーケンスを実行するステップを具備するＡＤＳＬ接続方法を使用してＡＤＳＬ通信を実行する。
【００１８】
そのＡＤＳＬ接続方法において、ＩＴＵ−Ｔ勧告Ｇ．９９４．１に定義されているＧ．ｈｓトーン信号を用いることにより、現在の回線状況において最適と判断される変復調方式の選択を行うステップと、
前記選択された第２変復調方式を特定接続モードとして格納するステップと、
前記Ｇ．ｈｓトーン信号を用いることにより選択された変復調方式を前記第１変復調方式とし、前記第１変復調方式に対応するトレーニングシーケンスの実行を指示するステップと、
前記第１変復調方式に対応するトレーニングシーケンスの実行指示に応答して、トレーニングシーケンスを実行し、前記トレーニングシーケンスにより得られたトレーニング結果を出力するステップと、
前記トレーニング結果と前記モード選択条件とに基づいて、第２変復調方式を選択するステップと、
前記第２変復調方式を選択したことに応答して、ＡＤＳＬ通信動作の停止を指示するステップと、
前記第２変復調方式を通知するステップと、
前記第２変復調方式に対応するトレーニングシーケンスの実行を前記変復調部（６）に指示することを要求するステップと、
前記要求に応答して前記第２変復調方式に対応するトレーニングシーケンスの実行を指示するステップと、
前記第２変復調方式に対応するトレーニングシーケンスの実行指示に応答して、前記第２変復調方式に対応するトレーニングシーケンスを実行するステップを具備するＡＤＳＬ接続方法を使用してＡＤＳＬ通信を実行する。
【００１９】
そのＡＤＳＬ接続方法において、前記モード選択条件は、前記複数の変復調方式の各々で使用される周波数帯域（１２）と、前記周波数帯域（１２）を複数に分割した確認周波数帯域（１３）を示す情報と、前記確認周波数帯域（１３）の各々で伝送可能な最大ビット数とを含み、
前記搬送波周波数の各々に割当てられた使用可能ビット数を前記確認周波数帯域（１３）毎に合計した測定ビット数を算出するステップと、
その算出された結果と前記最大ビット数とから所定の演算（１４）を実行し、その演算結果に基づいて第２変復調方式を選択するステップを具備するＡＤＳＬ接続方法を使用してＡＤＳＬ通信を実行する。
【発明の効果】
【００２０】
本発明は、ＡＤＳＬモデム装置におけるＧ．ｈｓ−Ｔｏｎｅを用いたモード選択を補完し、各電話回線における適切な伝送速度を得ることができる接続モードを選択することで、快適なＡＤＳＬ通信が実現できる効果がある。
【００２１】
本発明は更に、Ｇ．ｈｓ−Ｔｏｎｅを用いたモード選択によって決定した接続モードであるＧ．ｈｓ決定モードでトレーニングを実行した後に、トレーニングにより得られた情報とＧ．ｈｓ決定モードを使用しすることで、適切な伝送速度を得ることができる接続モードの選択を自動的に実行することが可能である。
【発明を実施するための最良の形態】
【００２２】
以下に、図面を使用して本発明を実施するための最良の形態について述べる。
【００２３】
ＤＳＬＡＭ装置とＡＤＳＬモデム装置との間の接続では、先ずそれぞれの装置においてサポートされている接続モード情報を互いにネゴシエーションすることによって最適と思われる接続モードが選択される。そして、次に、この選択された接続モードにより実際に接続を行うトレーニングが行われる。このトレーニングによりＡＤＳＬの伝送に使用する多数の周波数帯域毎にノイズに状況などを調べ、各々の周波数帯域で伝送するビット数が決定し、ＡＤＳＬ通信の接続が完了する。このトレーニングが行われることにより、実際の伝送速度が測定される。
【００２４】
本実施形態のＡＤＳＬモデム装置は、ここで選択された接続モードを最終的な接続モードとするのでは無く、最初に選択された接続モードによるトレーニング結果を予め設定されたモード選択条件に照らし合わせ、最初に選択された接続モードよりも伝送速度が速い接続モードが存在すると予測できる場合には、その接続モードによる接続をＤＳＬＡＭ装置に対して要求する。
【００２５】
図１は、本発明を実施するための最良の形態におけるシステムの構成を示すブロック図である。図１を参照すると、本実施の形態はＤＳＬＡＭ（Digital  Subscriber  Line  Access  Multiplexer）装置１とＡＤＳＬ（Asymmetric  Digital  Subscriber  Line）モデム装置２とで構成される。ＤＳＬＡＭ装置１は電話局側に設置された集合がたＤＳＬモデム装置である。複数の加入者側に設置されたＡＤＳＬモデム装置２の各々と一対一に接続可能なノードを有し、帯域をまとめてアップリンク回線に伝送する機能を有する。図１に示されるようにＤＳＬＡＭ装置１は公衆回線３を介してＡＤＳＬモデム装置２接続され、さらにＡＴＭ線を介してＮＯＣ（Network  Operation  Center）に接続される。ＡＤＳＬモデム装置２はＤＳＬＡＭ装置１とＡＤＳＬ通信を行うためのデータ変復調装置である。ＡＤＳＬモデム装置２は加入者側に設置され、モード指定部４とＧ．ｈｓ部５と変復調部６とモード指定部７とから構成される。またＡＤＳＬモデム装置２は加入者側に構築されたネットワークを介して加入者がわに設置された端末（図示されず）に接続される。
【００２６】
モード指定部４は、複数の接続モードの中からモード指定部７から通知された接続モードを特定接続モードとして格納する。またモード指定部４は、モード指定部７からの指示に基づいて、格納した特定接続モードの使用をＧ．ｈｓ部５に要求する。
【００２７】
Ｇ．ｈｓ部５は、ＩＴＵ−Ｔ勧告Ｇ．９９４．１において定義されているＧ．ｈｓトーン信号を用いることにより現在の回線状況において最適と思われる接続モードの選択を行う。Ｇ．ｈｓ部５は、Ｇ．ｈｓトーン信号を使用して選択したモードをＧ．ｈｓ決定モードとし、そのＧ．ｈｓ決定モードによりトレーニングを実施する指示を変復調部６に送る。またＧ．ｈｓ部５は、モード指定部４からの特定接続モードを用いる旨の命令を受信したときには、その命令に基づいて、特定接続モードに対応したトレーニングを実施する指示を変復調部６に送る。
【００２８】
変復調部６は、Ｇ．ｈｓ部５から指示されたＧ．ｈｓ決定モード、または特定接続モードにより、例えばＩＴＵ−Ｔ勧告Ｇ．９９２．１で定義されているトレーニングシーケンスを実施し、そのトレーニングシーケンスにより得られたトレーニング結果をモード指定部７に出力する。
【００２９】
モード指定部７は、Ｇ．ｈｓ決定モードが最適な伝送送度が得られる接続モードかどうかを判断し、Ｇ．ｈｓ決定モードよりも適切な接続モードが存在する場合、その接続モードを選択する機能を有するモード選択機能ブロックである。モード指定部７は最適な接続モードを選択するためのモード選択条件を格納し、そのモード選択条件に基づいて最適な伝送送度が得られる接続モードを選択する。
【００３０】
図２は、本発明の実施の形態における接続モード選択に用いられるモード選択条件の構成を示すモード選択条件テーブル１０である。図２は、トレーニングシーケンスによって得られる情報（トレーニング結果）の中で、各搬送波周波数の使用可能ビット数をモード選択条件に使用する例を示すが、これは本発明で使用するモード選択条件を限定するものではない。特に、実際の確認周波数帯域１３とモード選択条件１４はＡＤＳＬ接続環境に対応したものを設定する。
【００３１】
図２を参照すると、モード選択条件テーブル１０は、ＡＤＳＬモデム装置２が異なる３種類の接続モード（モードＡ、モードＢ、モードＣ）によるＡＤＳＬ接続が可能な場合のモード選択条件の一例を示す。選択モード１１はモード指定部７によって選択可能なモードを示す。使用周波数帯域１２は各接続モードで使用可能な周波数帯域を示す。確認周波数帯域１３は、各接続モードにおける各搬送波周波数の使用可能ビット数を測定する場合の周波数帯域を示す。モード選択条件１４は各接続モードにおけるモード選択条件の条件式を示す。
【００３２】
ここで、モードＡにおける確認周波数帯域をα：１００ｋＨｚ〜１０００ｋＨｚとし、モードＢにおける確認周波数帯域をα：１００ｋＨｚ〜１０００ｋＨｚ、β：１０００ｋＨｚ〜２０００ｋＨｚとし、モードＣにおける確認周波数帯域をα：１００ｋＨｚ〜１０００ｋＨｚ、β：１０００ｋＨｚ〜２０００ｋＨｚ、γ：２０００ｋＨｚ〜４０００ｋＨｚとする。
【００３３】
最大値（α）は確認周波数帯域αで使用できる最大使用可能ビット数を示す。同様に最大値（β）および最大値（γ）はそれぞれ確認周波数帯域β、確認周波数帯域γで使用できる最大使用可能ビット数を示す。測定値（α）は確認周波数帯域αで実際に割当てられている使用可能ビット数を示す。同様に測定値（β）および測定値（γ）はそれぞれ確認周波数帯域β、確認周波数帯域γで実際に割当てられている使用可能ビット数を示す。減少値（α）は確認周波数帯域αにおける最大値（α）から測定値（α）を減算したものである。同様に、減少値（β）および減少値（γ）はそれぞれ確認周波数帯域β、確認周波数帯域γにおける最大値（β）（または最大値（γ））から測定値（β）（または測定値（γ））を減算したものである。
【００３４】
接続モード選択の動作は、所定の接続モードにおける確認周波数帯域を特定し、その確認周波数帯域に対応する使用可能ビット数を比較することで実行される。使用周波数帯域に関わらず送信電力の総和は一定なので、使用周波数帯域が広がればその使用周波数帯域を細分割した各周波数チャネルあたりの送信電力は低下する。そのため、使用周波数帯域が広い接続モード（例えばモードＢ）を選択し、その使用周波数帯域を複数に分割し、その各々の周波数帯域で使用可能ビット数を測定した場合、低周波数帯域での使用可能ビット数が当初の接続モード（例えばモードＡ）に比較して減少する場合がある。その減少量と比較して高周波数帯域での使用可能ビット数が増加していれば使用周波数帯域全体における使用可能ビット数は増加したことになる。
【００３５】
図３は、本発明の実施の形態のモード選択動作を示すフローチャートである。図３を参照すると、Ｇ．ｈｓ部５は、Ｇ．ｈｓトーン信号によって、接続モード最適化の手順を一時的に踏み、一旦接続モードの決定を行う（ステップ１０１）。ここでは、モードＡがＧ．ｈｓ決定モードとして決定されたものとする。ステップＳ１０２において、Ｇ．ｈｓ部５はＧ．ｈｓ決定モードであるモードＡでトレーニングを実施するように変復調部６に指示をする。トレーニングは、例えばＩＴＵ−Ｔ勧告Ｇ．９９２．１にしたがって実行されることが好ましい。変復調部６はその指示にしたがってトレーニングを実施しする。
【００３６】
ステップＳ１０３において、変復調部６はＧ．ｈｓ部５から送信されたＧ．ｈｓ決定モードが複数の確認周波数帯域を有する場合、各々の確認周波数帯域に対応可能なように使用可能ビット数をモード指定部７に出力する。モード指定部７は変復調部６から出力された使用可能ビット数とその使用可能ビット数の割当てに用いられた接続モード（Ｇ．ｈｓ決定モード）とから、取得された使用可能ビット数に対応する接続モードを選択する。Ｇ．ｈｓ決定モードがモードＡの場合、モード指定部７は取得した使用可能ビット数をモード選択条件１４の条件Ａ１に対応させることで接続モードを選択する（ステップＳ１０４）。
【００３７】
ステップＳ１０５において、モード指定部７はモード選択条件テーブル１０に基づいて選択した接続モードと変復調部６から通知された接続モード（Ｇ．ｈｓ決定モード）が一致するかどうかの判断を実行する。その判断の結果、両方の接続モードが一致した場合、つまりモード指定部７によってモードＡが選択された場合、その接続モード（モードＡ）が最適モードであると判断し、その接続モード（モードＡ）でＡＤＳＬ接続を確立して処理を終了する。
【００３８】
両方の接続モードが一致しなかった場合、つまりモード指定部７によってモードＢが選択された場合、モード指定部７は選択した接続モード（モードＢ）をモード指定部４に通知し、その接続モード（モードＢ）を特定接続モードとして格納しつつ、格納した特定接続モードの使用をＧ．ｈｓ部５に要求するようにモード指定部４に指示する。また、モード指定部７は変復調部６に対して動作の停止と、Ｇ．ｈｓ部５からの命令を受信するまで待機するように指示をする。変復調部６はモード指定部７からの指示の応答して、待機状態を取る。Ｇ．ｈｓ部５はモード指定部４からの要求に基づいて特定接続モードの使用を決定する（ステップＳ１０６）。
【００３９】
ステップＳ１０７において、Ｇ．ｈｓ部５は変復調部６の停止を検出すると、Ｇ．ｈｓトーン信号によってモード最適化の手順を再度実行し接続モードの決定を行う。ここでＧ．ｈｓ部５はモード指定部４からの指示に基づいて特定接続モードを使用することが決定しているので、Ｇ．ｈｓトーン信号によって選択した接続モードを破棄し、特定接続モードによるトレーニングを実施するように変復調部６に指示する。
【００４０】
ステップＳ１０８において、変復調部６はＧ．ｈｓ部５からの指示に基づいて特定接続モードによるトレーニングを実施し、使用可能ビット数を決定する。
【００４１】
上記の説明において、ステップＳ１０１におけるＧ．ｈｓ決定モードがモードＡの場合を例に述べたが、同様に、Ｇ．ｈｓ決定モードがモードＢの場合には、確認周波数帯域α,βの2箇所でのビットアサインを用いて判断する。確認周波数帯域αの減少値と確認周波数帯域βの測定値を比較して、確認周波数帯域αの減少値のほうが大きければ、使用周波数帯域を縮小することによるビットアサインの増加が見込めるため、モードＡを選択する（条件Ｂ１）。確認周波数帯域βの測定値が確認周波数帯域βの最大値の90％より大きければ、使用周波数帯域を広げることによるビットアサインの増加が見込めるため、モードＣを選択する（条件Ｂ２）。これら以外は現在のモードＢを選択する。
【００４２】
同様にＧ．ｈｓ決定モードがモードＣの場合には、確認周波数帯域α,β,γの3箇所でのビットアサインを用いて判断する。確認周波数帯域αの減少値と確認周波数帯域βの測定値を比較して、確認周波数帯域αの減少値のほうが大きければ、使用周波数帯域を縮小することによるビットアサインの増加が見込めるため、モードＡを選択する（条件Ｃ１）。確認周波数帯域βの減少値と確認周波数帯域γの測定値を比較して、確認周波数帯域βの減少値のほうが大きければ、使用周波数帯域を縮小することによるビットアサインの増加が見込めるため、モードＢを選択する（条件Ｃ２）。これら以外は現在のモードＣを選択する。
【００４３】
図４は、本発明の実施の形態のモード選択動作を示すフローチャートである。図３に示す動作は、接続モード最適化の手順を一時的に踏み、一旦接続モードの決定を行う再に、Ｇ．ｈｓ決定モードではなくモードＣでトレーニングを行うようにしている。
【００４４】
ステップＳ２０１において、Ｇ．ｈｓトーン信号によって、接続モード最適化の手順を一時的実行する。ステップＳ２０２において、Ｇ．ｈｓ部５はＧ．ｈｓトーン信号によって選択した接続モードを破棄し、モードＣによるトレーニングを実施するように変復調部６に指示する。
【００４５】
ステップＳ２０２において、Ｇ．ｈｓ部５はモードＣでトレーニングを実施するように変復調部６に指示をする。トレーニングは、例えばＩＴＵ−Ｔ勧告Ｇ．９９２．１にしたがって実行されることが好ましい。変復調部６はその指示にしたがってモードＣのトレーニングを実行して使用可能ビット数を決定する。
【００４６】
ステップＳ２０３において、変復調部６はトレーニングで使用した接続モードの情報（モードＣ）と、そのトレーニングで決定したモードＣの使用可能ビット数を各確認周波数帯域に対応して確認可能なようにモード指定部７に送信する。モード指定部７は変復調部６から送信された情報に基づいて各確認周波数帯域の使用可能ビット数を取得する。
【００４７】
ステップＳ２０４において、モード指定部７は取得した使用可能ビット数をモード選択条件テーブル１０のモード選択条件１４の条件Ｃ１、Ｃ２に当てはめることで接続モードを選択する。ステップＳ２０５において、モード指定部７は、モード選択条件テーブル１０に基づいて選択した接続モードがモードＣであるかどうかの判断を実行する。７」によってモードＣが選択されていた場合、そのモードＣが最適モードであると判断し、モードＣでＡＤＳＬ接続を確立して処理を終了する。
【００４８】
選択した接続モードがモードＣと異なる場合には、モード指定部４に選択した接続モードを特定接続モードとして使用するように指示するとともに、変復調部６に対して、動作を停止しＧ．ｈｓ部５からの指示を待つように指示する。モード指定部４は、Ｇ．ｈｓ部５に対して、特定接続モードを使用することを指示するとともに、モード指定部７から指示された接続モード（モードＡまたはモードＢ）を特定接続モードにするように指示する（ステップＳ２０６）。
【００４９】
ステップＳ２０７において、Ｇ．ｈｓ部５は変復調部６の停止を検出すると、Ｇ．ｈｓトーン信号によってモード最適化の手順を再度実行して接続モードの決定を行う。ここでＧ．ｈｓ部５はモード指定部４からの指示に基づいて特定接続モードを使用することが決定しているので、Ｇ．ｈｓトーン信号によって選択した接続モードを破棄し、特定接続モードによるトレーニングを実施するように変復調部６に指示する。
【００５０】
ステップＳ２０８において、変復調部６はＧ．ｈｓ部５からの指示に基づいて特定接続モードによるトレーニングを実施し、使用可能ビット数を決定する。
【００５１】
本実施例では、各周波数帯域での使用可能ビット数を使用してモード選択条件を構成したが、モード選択条件として各周波数帯域での信号減衰量を用いることもできる。また、３つの接続モードを持つＡＤＳＬモデム装置について説明したが、接続モードの数についての制限はない。使用周波数帯域、確認周波数帯域、モード選択条件についても制限はない。さらに上記の実施の形態の動作は、繰り返し（または組合せ）て動作させることも可能である。図３に示すフローチャートを例に述べるならば、ステップＳ１０１におけるＧ．ｈｓ決定モードがモードＡ、ステップＳ１０４で選択された接続モードがモードＢであった場合、ステップＳ１０８でのトレーニング実施後更にステップＳ１０３に戻り、モード選択条件１４の条件Ｂ１、Ｂ２からモードＣを選択範囲に含める動作を実行することも可能である。
【図面の簡単な説明】
【００５２】
【図１】図１は、本発明の実施の形態の構成を示すブロック図である。
【図２】図２は、本発明の実施の形態におけるモード選択条件の構成を示すテーブルである。
【図３】図３は、本発明のモード選択の動作を示すフローチャートである。
【図４】図４は、本発明のモード選択の動作を示すフローチャートである。
【符号の説明】
【００５３】
１…ＤＳＬＡＭ装置
２…ＡＤＳＬモデム部
３…公衆回線
４…モード指定部
５…Ｇ．ｈｓ部
６…変復調部
７…モード選択部
１０…モード選択条件テーブル
１１…接続モード
１２…使用周波数帯域
１３…確認周波数帯域
１４…モード選択条件
【図１】
2005236812.tif 000003
【図２】
2005236812.tif 000004
【図３】
2005236812.tif 000005
【図４】
2005236812.tif 000006